(57)【特許請求の範囲】
【請求項１】
アクセス網（５、１１）とアクセスプロバイダ（７）とを介してインターネット（８、９）へのアクセスを個人化する方法であって、
インターネットへアクセスするための呼の確立時に前記アクセス網（５、１１）がインターネット発呼者プロフィールを割り当てるステップと、
前記アクセス網が前記アクセスプロバイダに前記インターネット発呼者プロフィールを伝送するステップと、
前記アクセスプロバイダが前記インターネット発呼者プロフィールに応じてインターネットのアクセスを個人化するステップとを含むことを特徴とする方法。
【請求項２】
前記アクセス網（１１）がインテリジェント網であることを特徴とする請求項１に記載の方法。
【請求項３】
前記アクセス網が、インターネット発呼者プロフィールを管理できるインテリジェント機能（１１）を含むことを特徴とする請求項１に記載の方法。
【請求項４】
前記インターネット発呼者プロフィールが、アクセスフィルタリング情報などインターネットトランザクションに関する情報を含むことを特徴とする請求項１から３のいずれか一項に記載の方法。
【請求項５】
前記インターネット発呼者プロフィールが、請求書作成、支払い、または呼出し許可情報など前記呼に関する情報を含むことを特徴とする請求項１から４のいずれか一項に記載の方法。
【請求項６】
前記インターネット発呼者プロフィールが全てのアクセスプロバイダに共通の情報と、各アクセスプロバイダに固有の情報とを含むことを特徴とする請求項１から５のいずれか一項に記載の方法。
【請求項７】
前記アクセスプロバイダが前記インターネット発呼者プロフィールを更新するステップを含むことを特徴とする請求項１から６のいずれか一項に記載の方法。
【請求項８】
前記ユーザが前記インターネット発呼者プロフィールを更新するステップを含むことを特徴とする請求項１から７のいずれか一項に記載の方法。
【請求項９】
前記アクセス網が前記インターネット発呼者プロフィールを形成するステップを含むことを特徴とする請求項１から８のいずれか一項に記載の方法。
【請求項１０】
ユーザの前記インターネット発呼者プロフィールが、インターネットへの個々のアクセス間で保持されることを特徴とする請求項１から９のいずれか一項に記載の方法。
【請求項１１】
ユーザの前記インターネット発呼者プロフィールが、アクセスプロバイダの変更時に保持されることを特徴とする請求項１から１０のいずれか一項に記載の方法。
【請求項１２】
インターネットへアクセスするための呼の確立時にインターネット発呼者プロフィールを割り当てる手段と、インターネットアクセスプロバイダに前記インターネット発呼者プロフィールを伝送する手段とを含むインテリジェントアクセス網。
【請求項１３】
インターネット発呼者プロフィールを更新する情報をアクセスプロバイダから受信する手段を含むことを特徴とする請求項１２に記載のインテリジェントアクセス網。
【請求項１４】
インターネットアクセスを個人化する方法であって、
インターネット発呼者プロフィールをユーザに割り当てるステップと、
インターネットへアクセスするための呼の確立時にアクセスプロバイダに前記インターネット発呼者プロフィールを伝送するステップとを含む方法。
【請求項１５】
前記インターネット発呼者プロフィールが、アクセスフィルタリング情報などインターネットトランザクションに関する情報を含むことを特徴とする請求項１４に記載の方法。
【請求項１６】
前記インターネット発呼者プロフィールが、請求書作成、支払い、または呼出し許可情報など前記呼に関する情報を含むことを特徴とする請求項１４または１５に記載の方法。
【請求項１７】
前記インターネット発呼者プロフィールが全てのアクセスプロバイダに共通の情報と、各アクセスプロバイダに固有の情報とを含むことを特徴とする請求項１４から１６のいずれか一項に記載の方法。
【発明の詳細な説明】
【０００１】
【発明の属する技術分野】
本発明は、インターネットへのアクセスを個人化する方法に関する。本発明はまた、インテリジェント電話網ならびにインターネットへのアクセスを個人化するサービスに関する。
【０００２】
本発明は、網へのアクセスの分野、特にインターネットへのアクセスに関する。以下の説明では、この網の例を用いるが、当然のことながら本発明は他の網にも適用できるであろう。
【０００３】
【従来の技術】
ユーザにとって、インターネットへのアクセスは、一般にユーザ端末から電話網を通して行われ、アクセスプロバイダ（「インターネットサービスプロバイダ」またはＩＳＰ）との通信を確立する。電話網は、従来の交換電話網でも、公共移動電話網でも、フランスサービス総合デジタル網のようなデジタル網でもよい。アクセスプロバイダは、ユーザに対してインターネットのアドレスを動的に割り当て、ユーザが、インターネットプロトコルに従って、内容プロバイダに向けて、また内容プロバイダから呼出しを送受信できるようにする。
【０００４】
電話線の接続や請求書作成といった簡単なサービス提供を超えて、電話オペレータから提供されるいわゆる付加価値サービス全体を「インテリジェント網」のサービスと呼ぶ。これらのサービスは、たとえば呼出しの転送、前払い、フリーダイヤル、一定の呼出しに関する固有の料金決定サービス、発呼者の認証その他を含む。
【０００５】
インターネットのめざましい発展は、さまざまな新しい問題を引き起こしている。内容の面から言えば、網で入手可能な情報が衝撃的であったり（特に性的な情報）、あるいはそれらの普及が一定の内容において違法であることがある（一定の政治的な情報）。その場合、網が意図された用途に応じてフィルタリングする形態が望ましい。たとえば子供たちの網へのアクセスを親がフィルタリングする、網により領土に伝播される情報を国がフィルタリングする、給与所得者の網へのアクセスを企業がフィルタリングするなどである。
【０００６】
このようにして、網で得られる情報のフィルタリングを可能にするために様々な解決法が提案された。ユーザの端末に設置するためのソフトウェア製品は、一定のインターネットサイトへのアクセスをフィルタリング可能にする。これらの製品は限られており、次のような欠点を有する。サイト名によるフィルタリングは、絶えず更新を要求されるので実施が難しい。このような更新は、日々形成される多数のサイトを考慮すると、また一定のサイトから他のインターネットアドレスへの転送技術の容易さを考慮すると、事実上、実現が難しい。そのようなフィルタリング装置は、たとえば網で入手可能な情報により、作動解除が比較的たやすい。
【０００７】
このような知られているフィルタリング問題に加えて、所定の発呼者に固有の特徴にインターネットを適合させるという新しい問題もまた生じている。さらに、アクセスプロバイダとは関係なく同一種のサービスを維持するという新しい問題もまた生じている。
【０００８】
【発明が解決しようとする課題】
従って、本発明は、ユーザの固有の特徴にインターネット検索を適合させるという新たな問題への解決法を提案する。本発明はさらに、選択したアクセスプロバイダの如何を問わず、適合サービスをユーザに提供することを可能にする。
【０００９】
【課題を解決するための手段】
より正確に言えば、本発明は、電話網などのアクセス網とアクセスプロバイダとを介したインターネットへのアクセスを個人化する方法であって、
インターネットへアクセスするための呼の確立時にアクセス網がインターネット発呼者プロフィールを割り当てるステップと、
アクセス網がアクセスプロバイダにインターネット発呼者プロフィールを伝送するステップと、
アクセスプロバイダが発呼者プロフィールに応じてインターネットへのアクセスを個人化するステップとを含む方法を提案する。
【００１０】
一実施形態において、アクセス網はインテリジェント網である。アクセス網はまた、インターネット発呼者プロフィールを管理できるインテリジェント機能を含むことができる。
【００１１】
有利には、インターネット発呼者プロフィールはアクセスフィルタリング情報などインターネットトランザクションに関する情報を含む。
【００１２】
発呼者プロフィールは、請求書作成、支払い、または呼出し許可情報などの呼に関する情報を含む。
【００１３】
一実施形態において、インターネット発呼者プロフィールは、全てのアクセスプロバイダに共通の情報と、各アクセスプロバイダに固有の情報とを含む。また、ユーザに固有の情報を含むことも可能である。
【００１４】
有利には、アクセスプロバイダがインターネット発呼者プロフィールを更新するステップ、またはユーザがインターネット発呼者プロフィールを更新するステップを含む。
【００１５】
好適には、アクセス網がインターネット発呼者プロフィールを形成するステップを含む。
【００１６】
有利には、ユーザのインターネット発呼者プロフィールは、インターネットへの個々のアクセス間で、またはアクセスプロバイダの変更時に保持される。
【００１７】
本発明はまた、インターネットへアクセスするための呼の確立時にインターネット発呼者プロフィールを割り当てる手段と、インターネットアクセスプロバイダにインターネット発呼者プロフィールを伝送する手段とを含む。
【００１８】
網は、インターネット発呼者プロフィールを更新する情報をアクセスプロバイダから受信する手段を含む。
【００１９】
本発明はまた、インターネットへのアクセスを個人化する方法であって、
インターネット発呼者プロフィールをユーザに割り当てるステップと、
インターネットへアクセスするための呼の確立時にるアクセスプロバイダにインターネット発呼者プロフィールを伝送するステップとを含む。
【００２０】
有利には、インターネット発呼者プロフィールは、アクセスフィルタリング情報などインターネットトランザクションに関する情報を含む。
【００２１】
他の実施形態において、インターネット発呼者プロフィールは、請求書作成、支払い、または呼出し許可情報など呼に関する情報を含む。
【００２２】
また、インターネット発呼者プロフィールは、全てのアクセスプロバイダに共通の情報と、各アクセスプロバイダに固有の情報、またはユーザに固有の情報とを含む。
【００２３】
本発明の他の特徴および特長は、添付の図面を参照ながら、例としてのみ挙げたインターネットに関する本発明の実施形態についての以下の説明を読めば明らかになろう。
【００２４】
【発明の実施の形態】
図１に、リンク３によってアクセス網５に接続されたユーザ端末１を示す。図の例および以下の説明全体では、公共交換電話網、公共移動電話網または他の電話網について考える。ユーザ端末は、直接、または構内自動交換機を介して接続することができる。図では、インターネットアクセスプロバイダ７と、２個の内容プロバイダ８、９とを含むインターネットの概略図を示した。ユーザ端末１とアクセスプロバイダは、電話網のチャネルで通信する。この電話網は、図１ではアクセスプロバイダの左側にある。チャネルは、この網によって異なる性質を持つ。アクセスプロバイダと内容プロバイダは、インターネットプロトコルに従って通信する。
【００２５】
本発明は、インターネットにアクセスするためのインテリジェント網１１の能力を使用して、インターネットへのアクセスを個人化する方法を提案する。そのために本発明は、電話網を使用してインターネット発呼者のプロフィールを管理することを提案する。このプロフィールは、インターネットにアクセスするための呼の確立時に電話網により割り当てられる。プロフィールは、その場合にインターネット呼出しをパラメータ化または個人化することができる選択されたアクセスプロバイダに伝送される。
【００２６】
インターネット発呼者プロフィールの管理および伝送は、インテリジェント網の機能、および必要な場合に、発呼者識別機能および認証機能を使用することによって簡単に実施することができる。
【００２７】
次に、図２に関して本発明の一実施形態によるインターネットアクセスについて説明する。この図は、そのようなアクセスの各ステップを示すものである。第１のステップ２１で、ユーザはアクセスプロバイダと通信を開始する。この実施形態では、ユーザはアクセスプロバイダの電話番号を押すことにより呼を確立する。ユーザが、複数のアクセスプロバイダに共通の電話番号を押すように構成することも可能である。
【００２８】
ステップ２２で、必要な場合、電話網はユーザを認証する。この認証のためには、パスワード、磁気カード、ＩＣなど、インテリジェント網のそれ自体知られているサービスを用いることができる。
【００２９】
ステップ２３で、必要な場合、認証後に、電話網はユーザにインターネット発呼者プロフィールを割り当てる。インターネット発呼者プロフィールは、インターネットへのアクセスを個人化できるパラメータ全体を含む。これらのパラメータは、そのまま、または短いコードとして、または任意の中間解決法により伝送可能である。これらのパラメータは、インターネットパラメータ、たとえば禁止または許可サイトのリスト、環境変数、仮想民間グループ、課金パラメータ、アクセスプロバイダに対するユーザの加入者番号など、および呼に関するパラメータ、たとえば使用する伝送タイプ、暗号化による保護、支払い、請求書作成などである。インターネット発呼者プロフィールの独特の定義は、第１の接続時にインテリジェント網が提案するか、または加入者に対応することができる。有利には、プロフィールは、その場合、アクセスプロバイダを変更した場合でも、インターネットへの個々のアクセス間で保持される。
【００３０】
ステップ２４で、電話網はこのインターネット発呼者プロフィールをアクセスプロバイダに伝送する。アクセスプロバイダは、押された電話番号によって選択されるか、またはインターネット発呼者プロフィールから決定される。次いで、ユーザとアクセスプロバイダとの間の通話を確立し（ステップ２５）、プロバイダは、ユーザに発信ＩＰアドレスを割り当てる（ステップ２６）。次いでユーザは、インターネットプロトコルに従ってメッセージを送受信する（ステップ２７）。このステップ中、アクセスプロバイダは、後述するように提供されたサービスを個人化するために、インターネット発呼者プロフィールのパラメータを検索して、使用し続けることができる。
【００３１】
有利には、インターネット発呼者プロフィールは、アクセスプロバイダによる更新が可能である。これによって、たとえば後述するように、一人のユーザの以後のアクセスの試みを禁止できる。またインターネット発呼者プロフィールは、同じく後述するように、ユーザ、または正当な権利を持つ他のユーザが更新できるようにすることも可能である。
【００３２】
本発明において構成されるようなインターネット呼出しプロフィールは、アクセスプロバイダに依存しない、すなわち特定のアクセスプロバイダに限定されないことに留意されたい。従って、インターネット発呼者プロフィールは、各種のアクセスプロバイダに適用可能なパラメータを含み、選択されたアクセスプロバイダに関係なく、ユーザのインターネット呼出しの個人化を同一にすることができる。しかし一方では、インターネットアクセスプロフィールが、特定のアクセスプロバイダに固有のパラメータを含むようにすることもできる。
【００３３】
次に、本発明の各種の適用例について説明する。
【００３４】
プリペイド方式
本発明は、インターネット呼出しの際に前払いを行うことができる。この場合、インテリジェント網との通話を確立し、ユーザは、インテリジェント網のそれ自体知られているプリペイド機能を用いることにより前払いを実施する。インターネット発呼者プロフィールは、アクセスプロバイダに対して、当該のトランザクションが前払いされたトランザクションであることを示す、前払い機能の存在に関する情報を含んでいる。インターネット発呼者プロフィールはさらに、前払いされた総額に関する情報を含み、この情報は、残高を使うにつれて更新される。前払いされた総額の剰余分は保持され、後で別のトランザクションに割り当てられる。それ以外の場合には、前払いされた総額が使い果たされたとき、場合によっては、残高を更新するようユーザに案内状を送った後で、接続が打ち切られる。
【００３５】
このような適用例により、不注意や、子供または第三者により発生する高額の請求書を回避することができる。しかも、インターネットに対するクレームの割合が減る。
【００３６】
予約なしアクセス
本発明は、アクセスプロバイダに継続的に予約することなくインターネットへアクセスできる。このような場合、ユーザプロフィールは、ユーザがアクセスプロバイダに予約していないことを示す。しかしながら、アクセスプロバイダに対してなされるインターネット接続要求は受け入れられ、接続により発生するコストは、アクセスプロバイダによってインテリジェント網に伝送され、その結果ユーザの電話料金勘定に直接記入される。
【００３７】
本発明のそのような適用例は、たとえば、インターネットの予約なしにファックスまたは電子メールをインターネットに送付するために使用できる。
【００３８】
また、本発明のこの適用例は、プリペイド方式とも組み合わせられる。
【００３９】
この適用例はまた、ユーザを煩わせる面倒な予約プロセスを回避することができる。
【００４０】
呼出しの監視と遮断
電話網は、アクセス禁止の指示を受けた場合に遮断できる。これはたとえば、フランス特許出願第ＦＲ９８０５５３９号に記載されているような、呼出しのフィルタリングの場合がそうである。このような場合、アクセスプロバイダが、インターネットトランザクションの内容をフィルタリングする。フィルタリング基準（たとえば子供たちのために親が決めた基準）を破ると、たとえばアクセスプロバイダによるインターネットプロフィールを更新するだけで、インテリジェント網によって通話が遮断される。そのような最低限の場合、インターネット発呼者プロフィールは、ユーザの接続解除を行うためだけに用いられる。
【００４１】
このようなフィルタリングはまた、たとえば規則で定めた制約を満たすために国のレベルでも実施できる。
【００４２】
この解決法は、たとえば家庭や、構内自動交換機の局部的な管理よりも信頼性があって有効である。またリストおよび許可へのアクセス制限は、いっそう有効である。さらに、インテリジェント網のオペレータにより提供されるサービスの品質が家庭サービスを上回ることが予想できる。
【００４３】
繰り返しアクセスの試みの遮断
インターネット発呼者プロフィールは、たとえばフィルタリングを一回または複数回にわたって破った後では、同一発呼者を再び接続しないようにすることができる。実際この場合には、アクセスプロバイダがユーザのインターネット発呼者プロフィールを更新して、今後の呼出しを拒否することを示すだけでよい。
【００４４】
このようにして本発明は、アクセスプロバイダへの通話を遮断することができる。この結果、何らかの理由で拒否される呼出しにより、アクセスプロバイダの電話リソースが塞がれることがなくなる。
【００４５】
ユーザプロフィールは、たとえば未成年者のユーザプロフィールを更新する権利を有する大人など、正当な権利を有するユーザにより、あるいは所定の期間が経過した後で、呼出しを再び許可するために更新できる。
【００４６】
本発明のこのような適用例により、各アクセスプロバイダについて、さらにはインターネットアクセス全体について「グレイ」または「ブラック」リストを管理することができる。
【００４７】
仮想民間グループの形成
インターネット発呼者プロフィールを使用して、発呼者グループを決定し、そのグループに同じ権利を割り当て、共通の方法で管理することができる。
【００４８】
これはたとえば、インテリジェント網を使用するサービスプロバイダまたはインターネットアクセスプロバイダが、改善されたクライアント管理およびよりよく分割されかつ意図されたサービスを提供するために有効である。これはまた、たとえば親が子供のためにグループを形成し、教師が生徒のためにグループを形成し、あるいは企業または部門が従業員のためにグループを形成するなど、ユーザが民間グループを形成する場合にも有効である。
【００４９】
認証
上述のように、インターネット発呼者を認証することができる。認証のレベルは、発呼者のプロフィールまたはその仮想民間グループに依存する。
【００５０】
着信電話呼出し
本発明はさらに、インターネット接続中にパケット化された音声信号として着信電話呼出しを提供することができる。
【００５１】
本発明は、各種のハードウェア手段により実施できる。本発明は、インターネットへのアクセスのための呼の受信時にインターネット発呼者プロフィールを割り当てる手段を、電話網管理ユニット（図１の１２）に備えることによって簡単に実施できる。また図１の矢印１３で示したように、インターネットプロフィールをアクセスプロバイダに送信する手段が備えられる。逆方向では、インターネット発呼者プロフィールは、電話システム管理ユニットに向かう矢印１４に示されるように、アクセスプロバイダにより更新可能である。そのためには、たとえばインターネット発呼者プロフィールを更新する情報を電話網管理ユニットに送信する手段を備えるだけでよい。この送信は、電話網を介して実施できる。
【００５２】
勿論、本発明は、説明し図示した実施形態に限定されるものではなく、当業者ならが思い付くであろう多数の変形例が考えられる。たとえば、本発明はインターネット以外のタイプの網にも適用できる。また、インターネット発呼者プロフィールは、意図された用途および提案されたサービスに応じて、各種の実施形態について説明したもの以外の情報を含むように構成することが可能である。
【図面の簡単な説明】
【図１】インターネット接続の概略図である。
【図２】本発明によるインターネットアクセス方法の各ステップを示す流れ図である。
【符号の説明】
１  ユーザ端末
３  リンク
５、１１  アクセス網
７  アクセスプロバイダ
８、９  インターネット
１２  管理ユニット
【図１】
0004319284.tif 000002
【図２】
0004319284.tif 000003